(57)【要約】【課題】  空気吸い込み口を十分に大きく取ることができるとともに、ユニット側から結露水や霜の融解水が荷物上に滴下するのを抑制することができ、かつ荷物の有効積載可能容積を増大することができる輸送用冷凍ユニットを提供することを目的とする。【解決手段】  エバポレータ１１と送風ファン１２とを有するユニット本体１０が冷却庫３の天井面に吊り下げ設置される輸送用冷凍ユニットにおいて、ユニット本体１０内の一部は、ユニット厚さ方向に上下二層構造とされ、その一方が空気吸い込み流路１９、他方が空気吹き出し流路２０とされるとともに、空気吸い込み流路１９と空気吹き出し流路２０間には、空気吸い込み流路１９側から空気を吸い込み、空気吹き出し流路２０側に吹き出す送風ファン１２が配設され、空気吸い込み流路１９への空気吸い込み口２１が、ユニット本体１０の一側面１５に設けられる。【選択図】      図２
2008202912.tif 000002
【特許請求の範囲】
【請求項１】
ユニット本体内に少なくともエバポレータおよび送風ファンが設けられ、該ユニット本体が、冷却庫の天井面に吊り下げ設置される輸送用冷凍ユニットにおいて、
前記ユニット本体内の一部は、ユニット厚さ方向に上下二層構造とされ、その一方が空気吸い込み流路、他方が空気吹き出し流路とされるとともに、
前記空気吸い込み流路と前記空気吹き出し流路間には、前記空気吸い込み流路側から空気を吸い込み、前記空気吹き出し流路側に吹き出す前記送風ファンが配設され、
前記空気吸い込み流路への空気吸い込み口が、前記ユニット本体の一側面に設けられることを特徴とする輸送用冷凍ユニット。
【請求項２】
前記エバポレータは、上下二層構造とされた前記空気吸い込み流路および前記空気吹き出し流路の下流側に配設されることを特徴とする請求項１に記載の輸送用冷凍ユニット。
【請求項３】
前記エバポレータは、上下二層構造とされた前記空気吸い込み流路および前記空気吹き出し流路の上流側に配設されることを特徴とする請求項１に記載の輸送用冷凍ユニット。
【請求項４】
前記送風ファンは、上下二層構造とされた前記空気吸い込み流路と前記空気吹き出し流路間の仕切り壁に設けられる開口部に、その吸い込み口を対向させて鉛直軸回りに回転可能に設置されるターボファンにより構成されることを特徴とする請求項１ないし３のいずれかに記載の輸送用冷凍ユニット。
【請求項５】
前記空気吸い込み口は、前記ユニット本体の前方側面に設けられる空気吹き出し口に対して、その対向面である前記ユニット本体の後方側面に設けられることを特徴とする請求項１ないし４のいずれかに記載の輸送用冷凍ユニット。
【請求項６】
前記空気吸い込み口は、諸法規および安全上許容される範囲の最大開口とされることを特徴とする請求項１ないし５のいずれかに記載の輸送用冷凍ユニット。
【請求項７】
前記ユニット本体の下面には、該ユニット本体の最外殻を構成する下面パネルが設けられ、該下面パネルは、ドレンパン形状とされることを特徴とする請求項１ないし６のいずれかに記載の輸送用冷凍ユニット。
【請求項８】
前記下面パネルは、パネル内面側に設けられる面ファスナを介して、前記ユニット本体を構成する構造体に固定されることを特徴とする請求項７に記載の輸送用冷凍ユニット。
【発明の詳細な説明】
【技術分野】
【０００１】
本発明は、冷凍コンテナや冷凍車両の冷却庫等に搭載される輸送用冷凍ユニットに関するものである。
【背景技術】
【０００２】
冷凍コンテナや冷凍車両の冷却庫等に搭載される輸送用冷凍装置としては、いろんなタイプのユニットが提供されている。その１つに、冷却庫の庫内側に設置される冷凍ユニット（冷却ユニットあるいはエバポレータユニットともいう。）を、冷却庫の天井面に吊り下げ設置するタイプのものがある（例えば、特許文献１，２参照）。このタイプの冷凍ユニットは、荷物の積載効率の低下を最小限とするために、可能な限りユニット構造を薄形形状とする必要がある。
【０００３】
上記特許文献２には、薄形とした限られた寸法制約の中で、必要な送風量を確保するために、ユニット本体の下面に送風ファンへの空気吸い込み口を設け、この空気吸い込み口に対向して鉛直軸回りに回転される送風ファンを設置し、さらに、送風ファンの下流側にエバポレータを配設して、ユニット前面から冷却空気を吹き出すようにした、下面吸い込み、前面吹き出しの風路構成を採用したユニット例が示されており、天井面に吊り下げ設置するタイプの冷凍ユニットとしては、かかる風路構成が一般的とされている。
【０００４】
【特許文献１】実開平６−５３２９２号公報
【特許文献２】特開２００１−８２８５８号公報
【発明の開示】
【発明が解決しようとする課題】
【０００５】
しかしながら、上記した風路構造のものでは、以下のような問題点が指摘されている。
（１）冷凍輸送においては、冷却庫の扉を開閉した際（荷物の積み下ろし時）に庫内に侵入した外気中の水分が、急速に冷却され、小さな氷の結晶となって冷却庫内を浮遊している。一方、冷凍ユニットの空気吸い込み口には、異物や手、指等が入らないように比較的細かい目もしくは隙間を有するファンガード（吸い込みグリル）が設けられており、これが空気の吸い込み抵抗となる。また、空気中の氷の結晶が冷凍ユニットに吸い込まれるときにファンガードに衝突して付着し、霜となって成長堆積する。この霜により空気吸い込み口の開口が縮小または部分閉塞されると、風量がダウンし、性能低下や能力低下を招き、冷却不良を発生するおそれがある。
【０００６】
（２）また、上記のようにして堆積された霜は、エバポレータおよびドレンパンをデフロストの際に一部融解されるが、その融解水が、そのまま空気吸い込み口から下方に滴下すると、荷物上に滴下されることになるため、荷物の品質低下あるいは損傷を引き起こすこととなる。
（３）冷凍ユニット自体は薄形構造にできるが、冷凍ユニットの下面と、その下方に積載される荷物との間には、冷凍ユニット下面に設けられている空気吸い込み口に庫内空気を導く空気流路が確保されるように、荷物を積載する必要がある。このため、空気流路を形成する空間を差し引いて見ると、実際に荷物を積載できる有効積載可能容積は、期待するほどに増大させることはできない。
【０００７】
本発明は、このような事情に鑑みてなされたものであって、空気吸い込み口を十分に大きく取ることができるとともに、ユニット側から結露水や霜の融解水が荷物上に滴下するのを抑制することができ、かつ荷物の有効積載可能容積を増大することができる輸送用冷凍ユニットを提供することを目的とする。
【課題を解決するための手段】
【０００８】
上記課題を解決するために、本発明の輸送用冷凍ユニットは、以下の手段を採用する。
すなわち、本発明にかかる輸送用冷凍ユニットは、  ユニット本体内に少なくともエバポレータおよび送風ファンが設けられ、該ユニット本体が、冷却庫の天井面に吊り下げ設置される輸送用冷凍ユニットにおいて、前記ユニット本体内の一部は、ユニット厚さ方向に上下二層構造とされ、その一方が空気吸い込み流路、他方が空気吹き出し流路とされるとともに、前記空気吸い込み流路と前記空気吹き出し流路間には、前記空気吸い込み流路側から空気を吸い込み、前記空気吹き出し流路側に吹き出す前記送風ファンが配設され、前記空気吸い込み流路への空気吸い込み口が、前記ユニット本体の一側面に設けられることを特徴とする。
【０００９】
本発明によれば、ユニット本体内を上下二層構造として空気吸い込み流路および空気吹き出し流路を形成し、その間に送風ファンを配設するとともに、空気吸い込み流路への空気吸い込み口をユニット本体の一側面に設けているため、ユニット本体の薄形形状を維持しながら、空気吸い込み口をユニット本体の一側面に設けて、その開口面積を十分大きくすることができる。従って、空気の吸い込み抵抗を減少させることができるとともに、空気吸い込み口付近に空気中の水分が氷の結晶となって付着し、それが霜となって堆積して空気吸い込み口が縮小または部分閉塞されることによる性能低下や能力低下を抑制することができる。また、ユニット本体の下方に庫内空気を空気吸い込み口に導くための流路を確保する必要がなくなり、ユニット本体の下面ぎりぎりまで荷物を積載することができるようになるため、冷却庫における荷物の有効積載可能容積を増大させることができる。さらに、ユニット本体内を上下二層構造とし、空気吸い込み口をユニット本体の一側面に設けることで、主にデフロスト時にユニット本体内で発生する結露水や空気吸い込み口付近に堆積していた霜の融解水が、空気吸い込み口からユニット下方にドレン水として滴下するのを抑制することができるため、このドレン水による荷物の品質低下や損傷を防止することができる。
【００１０】
さらに、本発明の輸送用冷凍ユニットは、上記の輸送用冷凍ユニットにおいて、前記エバポレータは、上下二層構造とされた前記空気吸い込み流路および前記空気吹き出し流路の下流側に配設されることを特徴とする。
【００１１】
本発明によれば、エバポレータが、上下二層構造とされた空気吸い込み流路および空気吹き出し流路の下流側に配設される、いわゆるプッシャー方式のユニット構成とされるため、エバポレータの下部に設置されるドレンパンの設置領域を、エバポレータ下部の比較的狭い領域に限定して、ドレンパンを小さくすることができる。従って、ユニット構造を簡素化し、コストダウンを図ることができる。
【００１２】
さらに、本発明の輸送用冷凍ユニットは、上記の輸送用冷凍ユニットにおいて、前記エバポレータは、上下二層構造とされた前記空気吸い込み流路および前記空気吹き出し流路の上流側に配設されることを特徴とする。
【００１３】
本発明によれば、エバポレータが、上下二層構造とされた空気吸い込み流路および空気吹き出し流路の上流側に配設される、いわゆるプラー方式のユニット構成とされるため、エバポレータの上流側をすべて空気吸い込み流路に利用することができる。従って、空気吸い込み口を最大限大きくして空気吸い込み側での流路抵抗を可及的に小さくし、吸入圧損を低減することができるとともに、空気吸い込み口への着霜による性能低下等を抑制することができる。
【００１４】
さらに、本発明の輸送用冷凍ユニットは、上述のいずれかの輸送用冷凍ユニットにおいて、前記送風ファンは、上下二層構造とされた前記空気吸い込み流路と前記空気吹き出し流路間の仕切り壁に設けられる開口部に、その吸い込み口を対向させて鉛直軸回りに回転可能に設置されるターボファンにより構成されることを特徴とする。
【００１５】
本発明によれば、送風ファンが、空気吸い込み流路と空気吹き出し流路間の仕切り壁に設けられる開口部に、その吸い込み口を対向させて鉛直軸回りに回転可能に設置されるターボファンによって構成されるため、軸方向寸法の比較的小さい薄形構造のターボファンを用いることにより、二層構造でありながら薄形形状を維持することができ、またファンの空気流路構造を簡易に形成することができる。これにより、薄形でかつ簡素な構成の輸送用冷凍ユニットを得ることができる。
【００１６】
さらに、本発明の輸送用冷凍ユニットは、上述のいずれかの輸送用冷凍ユニットにおいて、前記空気吸い込み口は、前記ユニット本体の前方側面に設けられる空気吹き出し口に対して、その対向面である前記ユニット本体の後方側面に設けられることを特徴とする。
【００１７】
本発明によれば、空気吸い込み口が、ユニット本体の前方側面に設けられる空気吹き出し口に対して、その対向面であるユニット本体の後方側面に設けられるため、冷却庫内に設置された状態では、空気吹き出し口が冷却庫の内部空間側に向けられ、一方、空気吸い込み口は、冷却庫内の側壁面（冷凍車の場合は冷却庫の前壁面）に近接されて配置されることとなる。従って、冷却庫内でのエアサーキュレーションを、ショートサーキットが生じない理想的な状態に近づけ、庫内を均一に冷却することができる。また、仮に空気吸い込み口付近に着霜した霜の融解水が下方に滴下されることがあっても、荷物への影響を最小限に止めることができる。
【００１８】
さらに、本発明の輸送用冷凍ユニットは、上述のいずれかの輸送用冷凍ユニットにおいて、前記空気吸い込み口は、諸法規および安全上許容される範囲の最大開口とされることを特徴とする。
【００１９】
本発明によれば、空気吸い込み口が、諸法規および安全上許容される範囲の最大開口とされるため、空気の吸い込み抵抗を可及的に小さくすることができるとともに、空気吸い込み口付近に霜が付着し難くし、仮に空気吸い込み口付近に霜が付着されるように状態においても、空気吸い込み口が霜により閉塞されり、あるいは風量がダウンされたりするような事態を回避することができる。従って、霜による冷凍ユニットの性能低下や能力低下を抑制し、信頼性を向上させることができる。
【００２０】
さらに、本発明の輸送用冷凍ユニットは、上述のいずれかの輸送用冷凍ユニットにおいて、前記ユニット本体の下面には、該ユニット本体の最外殻を構成する下面パネルが設けられ、該下面パネルは、ドレンパン形状とされることを特徴とする。
【００２１】
本発明によれば、ユニット本体の下面に、ユニット本体の最外殻を構成する下面パネルが設けられ、この下面パネルが、ドレンパン形状とされるため、主にデフロスト時にユニット本体内のほぼすべての部位で発生する結露水や霜の融解水を、ドレンパン形状の下面パネルで受け止めることができる。従って、結露水や霜の融解水がドレン水としてユニット下部に滴下するのを抑制し、ドレン水による荷物の品質低下や損傷を確実に防止することができる。
【００２２】
さらに、本発明の輸送用冷凍ユニットは、上記の輸送用冷凍ユニットにおいて、前記下面パネルは、パネル内面側に設けられる面ファスナを介して、前記ユニット本体を構成する構造体に固定されることを特徴とする。
【００２３】
本発明によれば、下面パネルが、パネル内面側に設けられる面ファスナ（通称ベルクロファスナまたはマジックテープと称されているもの；いずれも登録商標）を介して、ユニット本体を構成する構造体に固定されるため、ユニット本体の下面を、下面パネルの外面（外部に面する面）から固定ボルトやビスの頭が突出されることのない、フラットな面とすることができる。従って、外観の見栄えを向上させることができるとともに、荷物がボルトやビスの頭に引っかかって損傷される心配もなく、冷凍ユニットの下面ぎりぎりまで荷物を積載することが可能となる。
【発明の効果】
【００２４】
本発明によると、空気吸い込み口をユニット本体の一側面に設けることにより、その開口面積を十分大きくすることができるため、空気の吸い込み抵抗を小さくし、また空気吸い込み口付近に空気中の水分が氷の結晶となって付着し、それが霜となって成長堆積して空気吸い込み口が縮小または部分閉塞されることによる性能低下や能力低下を抑制することができる。また、ユニット本体の下方に庫内空気を空気吸い込み口に導く空気流路を確保する必要がなくなり、ユニット本体の下面ぎりぎりまで荷物を積載することができるようになるため、荷物の有効積載可能容積を増大させることができる。また、ユニット本体内で発生する結露水や空気吸い込み口付近に堆積していた霜の融解水が、ドレン水として空気吸い込み口からユニット下方に滴下するのを抑制することができるため、ドレン水による荷物の品質低下や損傷を防止することができる。
【発明を実施するための最良の形態】
【００２５】
以下に、本発明にかかる実施形態について、図面を参照して説明する。
［第１実施形態］
以下、本発明の第１実施形態について、図１ないし図５を用いて説明する。
図１には、本発明の第１実施形態に係る輸送用冷凍ユニットを搭載した冷凍車両の外観斜視図が示されている。冷凍車両１は、キャビン２の後方に冷却庫３が搭載された構成とされる。冷却庫３には、その内部に積載される荷物を冷却（保冷）する冷凍装置（輸送用冷凍装置）４が搭載される。
【００２６】
この輸送用冷凍装置４は、冷却庫３の庫内側に設置される冷凍ユニット（冷却ユニットあるいはエバポレータユニットともいう。）５と、冷却庫３の外部に設置されるコンディンシングユニット６とにセパレートされており、両ユニットは公知の如く冷凍サイクルを構成する冷媒配管で接続される。冷凍ユニット５としては、いろんなタイプのある中、本実施形態では、冷却庫３内の天井面に吊り下げ設置されるものが対象とされる。また、コンディンシングユニット６としては、冷却庫３の前面壁の上部に固定設置される例が示されている。
【００２７】
図２には、冷凍ユニット５の概略断面構造が示され、図３には、冷凍ユニット５を後方側から見た外観斜視図が示されている。冷凍ユニット５は、厚さ方向の寸法が小さい薄形の直方体形状のユニット本体１０を有し、その内部には、少なくとも冷凍サイクルを構成するエバポレータ１１と、エバポレータ１１に対して冷却庫３内の空気を循環させるための送風ファン１２とが設けられる。ユニット本体１０は、その骨組みを構成する構造体としてのフレーム１０Ａ（図４参照）を備え、そのフレーム１０Ａに、ユニット本体１０の上面、下面、側面等を形成する上面パネル１３、下面パネル（化粧パネル）１４等を取り付けることによって、筐体であるユニット本体１０を構成している。
【００２８】
ユニット本体１０内には、後方側面１５から前方側面１６にかけて空気流通路１７が形成されており、その後方部位は、仕切り壁１８によってユニット厚さ方向に上下に仕切られた上下二層構造とされている。この上下二層構造部の下層は、空気吸い込み流路１９とされ、その上層は、空気吹き出し流路２０とされる。空気吸い込み流路１９は、ユニット本体１０の後方側面に開口される空気吸い込み口２１に連通され、また空気吹き出し流路２０は、ユニット本体１０の前方側面に開口される空気吹き出し口２２に連通される。空気吸い込み口２１は、諸法規および安全上許容される範囲の最大開口とされる。
【００２９】
仕切り壁１８には、円形の開口２３が設けられ、この開口２３に対向するように空気吸い込み流路１９と空気吹き出し流路２０間に、上記送風ファン１２が配設される。送風ファン１２には、軸方向寸法が小さくされた薄形構造のターボファンが用いられる。このターボファン（送風ファン）１２は、鉛直軸回りに回転可能に設置され、空気吸い込み流路１９側の空気を吸い込み、空気吹き出し流路２０側において、放射方向に吹き出す構成とされる。
【００３０】
上記エバポレータ１１には、プレートフィンアンドチューブ型熱交換器が用いられる。このエバポレータ１１は、空気流通路１７の上下二層構造部位の下流側に配置され、送風ファン１２からの吹き出し空気がエバポレータ１１に流通される、いわゆるプッシャー方式の冷凍ユニット５を構成している。エバポレータ１１の下部には、エバポレータ１１で発生するドレン水を受けるドレンパン２４が、断熱材２５を介して設置されている。
【００３１】
ユニット本体１０の最外殻を構成する上記下面パネル（化粧パネル）１４は、図４に示されるように、周辺に上方への立ち上がり面２６を有するドレンパン形状とされ、ユニット本体１０内の各部位で発生される結露水やデフロスト時に発生される霜の融解水を受け止め、これらドレン水がユニット本体１０から下方に滴下されない構成としている。下面パネル１４には、その内面側の複数箇所（本実施形態では３箇所）に面ファスナ（通称ベルクロファスナまたはマジックテープと称されているもの；いずれも登録商標）２７が設けられており、この面ファスナ２７を介して下面パネル１４がユニット本体１０の構造体であるフレーム１０Ａに固定されるようになっている。また、下面パネル１４の外面側には、図４に網掛け線で示されるように、その全表面に結露防止のための断熱材２８が貼り付けられている。
【００３２】
以上説明の構成により、本実施形態によれば、以下の作用効果を奏する。
輸送用冷凍装置４が運転されると、冷凍ユニット５のエバポレータ１１には、公知の如く低温低圧の冷媒が循環される。同時に送風ファン１２が駆動されることによって、冷却庫３内の空気が冷凍ユニット５内に循環される。この庫内空気と上記冷媒とがエバポレータ１１で熱交換されて庫内空気が冷却され、冷凍ユニット５から冷却庫３内に吹き出されることにより、冷却庫３内を設定温度に冷却する。
【００３３】
冷凍ユニット５は、図２および図５に示されるように、その後方側面１５が冷却庫３の前面壁に近接されて天井面に吊り下げ設置されており、冷却庫３の前面壁に沿って上昇されてくる空気を、後方側面１５に開口されている空気吸い込み口２１よりユニット本体１０内に吸い込む。この空気は、上下二層構造部の下層に形成される空気吸い込み流路１９に流入され、そこから仕切り壁１８に設けられている開口２３を経て送風ファン（ターボファン）１２へと吸い込まれる。送風ファン１２により昇圧された空気は、送風ファン１２から放射方向に空気吹き出し流路２０へと吹き出され、さらに送風ファン１２の下流側に配設されているエバポレータ１１を通過する間に冷却される。この冷却空気は、ユニット本体１０の前方側面１６に開口されている空気吹き出し口２２から冷却庫３内へと吹き出され、冷却庫３内に積載されている荷物Ｋの冷却に供される。
【００３４】
ここで、上記冷凍ユニット５は、前方側面１６に設けられている空気吹き出し口２２から冷却庫３の後方部に向って吹き出され、冷却庫３内を後方上部から下方部、さらに下方部から前方部へと循環し、前面壁に沿って戻ってくる空気を再び後方側面１５に開口されている空気吸い込み口２１から吸い込むことができる。従って、冷却庫３内でのエアサーキュレーションを、ショートサーキットが生じない理想的な状態に近づけることができるようになり、冷却庫３内を斑なくほぼ均一に冷却することができる。
【００３５】
また、ユニット本体１０内を上下二層構造として、上下に空気吸い込み流路１９と空気吹き出し流路２０を形成し、その間に送風ファン１２を配設するとともに、空気吸い込み流路１９への空気吸い込み口２１をユニット本体１０の後方側面１５に設けた構成としているため、ユニット本体１０の薄形形状を維持しながら、空気吸い込み口２１をユニット本体１０の後方側面に設けて、その開口面積を十分に大きくとることができる。これによって、空気の吸い込み抵抗を減少させることができるとともに、空気吸い込み口２１付近に空気中の水分が氷の結晶となって付着し、それが霜となって堆積して空気吸い込み口が縮小または部分閉塞されることによる性能低下や能力低下を抑制することができる。
【００３６】
特に、空気吸い込み口２１を、諸法規および安全上許容される範囲の最大開口としているため、空気の吸い込み抵抗を可及的に小さくすることができるとともに、空気吸い込み口２１付近に霜が付着し難くし、仮に空気吸い込み口２１付近に霜が付着されるように状態においても、空気吸い込み口２１が霜により閉塞されたり、風量がダウンされたりするような事態を回避することができる。従って、霜による冷却性能の低下を抑制し、信頼性を向上させることができる。また、送風ファン１２に薄形構造のターボファンを採用しているため、空気流路を上下二層構造としも、薄形形状をほぼ維持することができ、しかも送風ファン１２に対する空気流路構成を簡素に構成することができる。
【００３７】
また、ユニット本体１０の後方側面１５に空気吸い込み口２１、前方側面１６に空気吹き出し口２２を設けているため、ユニット本体１０の下方部に吸い込み空気を導く空気流路（空間）を確保する必要がなくなり、図５に示されるように、ユニット本体１０の下面ぎりぎりまで荷物Ｋを積載することができるようになる。この結果、冷却庫３における荷物Ｋの有効積載可能容積を増大させることができる。特に、ユニット本体１０を構成する下面パネル１４を、その内面側の設けた面ファスナ２７により、フレーム１０Ａに固定するようにしているため、ユニット本体１０の下面を、固定ボルトやビスの頭もない、フラットな面とすることができる。これによって、荷物Ｋがボルトやビスの頭に引っかかって損傷される心配もなくなり、冷凍ユニット５の下面にほぼ接するまで目一杯荷物Ｋを積載することが可能となる。また、ボルトやビスの頭が突出されないため、外観の見栄えを向上させることができるとともに、断熱材２８の貼り付けを容易化することができる。
【００３８】
また、ユニット本体１０内を二層構造とするために、その下面全体を開口等のない下面パネル１４で覆い、しかもこの下面パネル１４を周辺に立ち上がり面２６を有するドレンパン形状としているため、デフロスト時にユニット本体１０内の各部位で結露水や空気吸い込み口２１付近に堆積していた霜の融解水が発生しても、これらのドレン水を下面パネル１４で受け止めることができる。従って、空気吸い込み口２１からユニット本体１０の下方にドレン水が滴下するのを抑制することができ、かかるドレン水による荷物Ｋの品質低下や損傷を防止することができる。特に、空気吸い込み口２１がユニット本体１０の後方側面１５に設けられているため、図５からも明らかなように、仮に空気吸い込み口２１付近に付着していた霜が融解して滴下しても、荷物Ｋ上への接触を僅少とし、被害を最小限に抑えることができる。
【００３９】
さらに、エバポレータ１１を送風ファン１２の下流側に配設したプッシャー方式の構成としているため、エバポレータ１１の下部に設置されるドレンパン２４をエバポレータ１１の下部領域の比較的狭い領域に限定した設置すればよく、ドレンパン２４を小さくすることができる。従って、ユニット構造を簡素化し、コストダウンを図ることができる。また、断熱材２５の使用量も低減することができる。
【００４０】
［第２実施形態］
次に、本発明の第２実施形態について、図６を用いて説明する。
本実施形態は、上記した第１実施形態に対して、エバポレータ１１Ａと送風ファン１２Ａの配置構成を変更している点が異なっている。その他の点は第１実施形態と同様であるので、説明は省略する。
本実施形態では、空気流通路１７の上下二層構造部分が、ユニット本体１０内の前方側に設けられており、この上下二層構造部分に配設される送風ファン１２Ａに対し、エバポレータ１１Ａが上下二層構造部分の上流側、すなわち送風ファン１２Ａの上流側に配置される、いわゆるプラー方式のユニット構成とされている。この場合、エバポレータ１１Ａの下部に設けられるドレンパン２４Ａは、空気吸い込み流路１９のほぼ全域をカバーするように断熱材２５を介して設置される。
【００４１】
上記のようなプラー方式の構成とすることによっても、エバポレータ１１Ａが送風ファン１２Ａの吸い込み側に設置され、送風ファン１２Ａがエバポレータ１１Ａを通過した冷却空気を送風することになる点が異なるだけで、上記第１実施形態とほぼ同様の効果を奏することができる。なお、プラー方式とすることにより、エバポレータ１２Ａの上流側をすべて空気吸い込み流路として利用できるため、空気吸い込み口２１を開口することに対する制約がほとんどなくなる。従って、空気吸い込み口２１を最大限大きくして空気吸い込み側での流路抵抗を可及的に小さくし、吸入圧損を低減することができる。また、空気吸い込み口２１を大きくすることで、空気吸い込み口２１への着霜による性能低下等を一層抑制することができる。
【００４２】
なお、本発明は、上記した各実施形態にかかる発明に限定されるものではなく、その要旨を逸脱しない範囲において、適宜変形が可能である。例えば、送風ファン１２は、１台である必要はなく、ユニットの大きさに応じて複数台並設することができる。また、送風ファン１２は、ユニットを薄形にでき、かつ必要風量を確保できるものであればよく、ターボファンに限らず、外径が小さいクロスフローファン等も使用可能である。さらに、上記実施形態では、上下二層構造部分において、下層を空気吸い込み流路１９、上層を空気吹き出し流路２０としているが、逆に上層を空気吸い込み流路１９、下層を空気吹き出し流路２０としてもよい。
【図面の簡単な説明】
【００４３】
【図１】本発明の第１実施形態に係る冷凍ユニットを搭載した冷凍車両の外観斜視図である。
【図２】図１に示す冷凍ユニットの概略構造の縦断面図である。
【図３】図１に示す冷凍ユニットの後方側から見た外観斜視図である。
【図４】図１に示す冷凍ユニットの前方側から見た一部破断側面図（Ａ）とその底面図（Ｂ）である。
【図５】図１に示す冷凍ユニットと積載される荷物との位置関係の説明図である。
【図６】本発明の第２実施形態に係る冷凍ユニットの概略構造の縦断面図である。
【符号の説明】
【００４４】
１  冷凍車両
３  冷却庫
４  輸送用冷凍装置
５  冷凍ユニット
１０  ユニット本体
１０Ａ  フレーム（構造体）
１１，１１Ａ  エバポレータ
１２，１２Ａ  送風ファン（ターボファン）
１４  下面パネル
１５  後方側面
１６  前方側面
１８  仕切り壁
１９  空気吸い込み流路
２０  空気吹き出し流路
２１  空気吸い込み口
２２  空気吹き出し口
２３  開口
２６  立ち上がり面
２７  面ファスナ
【図１】
2008202912.tif 000003
【図２】
2008202912.tif 000004
【図３】
2008202912.tif 000005
【図４】
2008202912.tif 000006
【図５】
2008202912.tif 000007
【図６】
2008202912.tif 000008